(57)【要約】【課題】ロックされたフォルダについて、簡易に中身を確認できるようにする。【解決手段】フォルダに格納されている画像のサムネイル画像をフォルダアイコンに重畳させて表示する。パスワードの入力を行うパスワード入力インターフェースを、ロックの指示が受け付けられたフォルダアイコンに重畳させて表示する。パスワードが入力されると、サムネイル画像に代えて、ロックされていることを表すマークを、ロックの指示が受け付けられたフォルダのフォルダアイコンに重畳させて表示する。そして、マークが付与されたフォルダへのアクセスを禁止する。【選択図】図１
2007219584.tif 000002
【特許請求の範囲】
【請求項１】
画像が分類されたフォルダをアイコン化して表示するフォルダ表示制御装置において、
前記フォルダに格納されている画像のサムネイル画像を、前記フォルダをアイコン化したフォルダアイコンに重畳させて表示する第１の表示手段と、
前記フォルダのロックの指示を受け付けるロック指示手段と、
パスワードの入力を行うパスワード入力インターフェースを、前記ロックの指示が受け付けられたフォルダのフォルダアイコンに重畳させて表示する第２の表示手段と、
前記パスワードが入力されると、前記サムネイル画像に代えて、ロックされていることを表すマークを、前記ロックの指示が受け付けられたフォルダのフォルダアイコンに重畳させて表示する第３の表示手段と、
前記ロックの指示が受け付けられたフォルダへのアクセスを禁止するアクセス禁止手段とを備えたことを特徴とするフォルダ表示制御装置。
【請求項２】
前記アクセスが禁止されたフォルダに対するロック解除の指示を受け付けるロック解除指示手段と、
パスワードの入力を行うパスワード入力インターフェースを、該ロック解除の指示が受け付けられたフォルダのフォルダアイコンに重畳させて表示する第４の表示手段と、
前記パスワードの認証を行う認証手段と、
前記入力されたパスワードが認証された場合、前記マークに代えて、前記サムネイル画像を、前記ロック解除の指示が受け付けられたフォルダのフォルダアイコンに重畳させて表示する第５の表示手段と、
該ロック解除の指示が受け付けられたフォルダのアクセス禁止を解除する解除手段とを備えたことを特徴とする請求項１記載のフォルダ表示制御装置。
【請求項３】
前記第２の表示手段は、マウスの操作により複数の数字を切り替えることによって前記パスワードを入力するパスワード入力インターフェースを表示する手段であることを特徴とする請求項１または２記載のフォルダ表示制御装置。
【請求項４】
前記第４の表示手段は、マウスの操作により複数の数字を切り替えることによって前記パスワードを入力するパスワード入力インターフェースを表示する手段であることを特徴とする請求項１から３のいずれか１項記載のフォルダ表示制御装置。
【請求項５】
画像が分類されたフォルダをアイコン化して表示するフォルダ表示制御方法において、
前記フォルダに格納されている画像のサムネイル画像を、前記フォルダをアイコン化したフォルダアイコンに重畳させて表示し、
前記フォルダのロックの指示を受け付け、
パスワードの入力を行うパスワード入力インターフェースを、前記ロックの指示が受け付けられたフォルダのフォルダアイコンに重畳させて表示し、
前記パスワードが入力されると、前記サムネイル画像に代えて、ロックされていることを表すマークを、前記ロックの指示が受け付けられたフォルダのフォルダアイコンに重畳させて表示し、
前記ロックの指示が受け付けられたフォルダへのアクセスを禁止することを特徴とするフォルダ表示制御方法。
【請求項６】
前記アクセスが禁止されたフォルダに対するロック解除の指示を受け付け、
パスワードの入力を行うパスワード入力インターフェースを、該ロック解除の指示が受け付けられたフォルダのフォルダアイコンに重畳させて表示し、
前記パスワードの認証を行い、
前記入力されたパスワードが認証された場合、前記マークに代えて、前記サムネイル画像を、前記ロック解除の指示が受け付けられたフォルダのフォルダアイコンに重畳させて表示し、
該ロック解除の指示が受け付けられたフォルダのアクセス禁止を解除することを特徴とする請求項５記載のフォルダ表示制御方法。
【請求項７】
画像が分類されたフォルダをアイコン化して表示するフォルダ表示制御方法をコンピュータに実行させるためのプログラムにおいて、
前記フォルダに格納されている画像のサムネイル画像を、前記フォルダをアイコン化したフォルダアイコンに重畳させて表示する手順と、
前記フォルダのロックの指示を受け付ける手順と、
パスワードの入力を行うパスワード入力インターフェースを、前記ロックの指示が受け付けられたフォルダのフォルダアイコンに重畳させて表示する手順と、
前記パスワードが入力されると、前記サムネイル画像に代えて、ロックされていることを表すマークを、前記ロックの指示が受け付けられたフォルダのフォルダアイコンに重畳させて表示する手順と、
前記ロックの指示が受け付けられたフォルダへのアクセスを禁止する手順とを有することを特徴とするプログラム。
【請求項８】
前記アクセスが禁止されたフォルダに対するロック解除の指示を受け付ける手順と、
パスワードの入力を行うパスワード入力インターフェースを、該ロック解除の指示が受け付けられたフォルダのフォルダアイコンに重畳させて表示する手順と、
前記パスワードの認証を行う手順と、
前記入力されたパスワードが認証された場合、前記マークに代えて、前記サムネイル画像を、前記ロック解除の指示が受け付けられたフォルダのフォルダアイコンに重畳させて表示する手順と、
該ロック解除の指示が受け付けられたフォルダのアクセス禁止を解除する手順とを有することを特徴とする請求項７記載のプログラム。
【発明の詳細な説明】
【技術分野】
【０００１】
本発明は、画像が格納されているフォルダをアイコン化して表示するフォルダ表示制御装置および方法、並びにフォルダ表示制御方法をコンピュータに実行させるためのプログラムに関するものである。
【背景技術】
【０００２】
画像を格納したフォルダをアイコン化して一覧表示する際に、フォルダに格納された画像のサムネイル画像を、フォルダに重畳させて表示することが行われている（特許文献１参照）。このように、フォルダにサムネイル画像を重畳させて表示することにより、フォルダを開かなくてもフォルダに格納されている画像の概要を知ることができる。
【０００３】
その一方で、セキュリティ向上の観点から、フォルダやファイルをロックするアプリケーションが提案されている（特許文献２参照）。このようなアプリケーションにおいては、ロックされたフォルダやファイルのアイコンをクリックして開こうとすると、図１０に示すようにパスワードを入力するためのダイアログが開く。ユーザはこのダイアログにパスワードを入力し、入力したパスワードが認証されると、フォルダやファイルを開いて内容を確認することができるようになっている。
【特許文献１】特開平１０−４００６３号公報
【特許文献２】特開２００３−３３０８０４号公報
【発明の開示】
【発明が解決しようとする課題】
【０００４】
しかしながら、特許文献２に記載された手法においては、ロックされたフォルダを開こうする度にダイアログが表示されるため、ロックされたフォルダの数が多くなると、フォルダの中身を確認する作業が非常に煩雑なものとなる。例えば、一度開いたフォルダを閉じた後に、再度開こうとする場合、改めてダイアログが表示されるため、再度パスワードを入力する必要がある。
【０００５】
本発明は上記事情に鑑みなされたものであり、ロックされたフォルダについて、簡易に中身を確認できるようにすることを目的とする。
【課題を解決するための手段】
【０００６】
本発明によるフォルダ表示制御装置は、画像が分類されたフォルダをアイコン化して表示するフォルダ表示制御装置において、
前記フォルダに格納されている画像のサムネイル画像を、前記フォルダをアイコン化したフォルダアイコンに重畳させて表示する第１の表示手段と、
前記フォルダのロックの指示を受け付けるロック指示手段と、
パスワードの入力を行うパスワード入力インターフェースを、前記ロックの指示が受け付けられたフォルダのフォルダアイコンに重畳させて表示する第２の表示手段と、
前記パスワードが入力されると、前記サムネイル画像に代えて、ロックされていることを表すマークを、前記ロックの指示が受け付けられたフォルダのフォルダアイコンに重畳させて表示する第３の表示手段と、
前記ロックの指示が受け付けられたフォルダへのアクセスを禁止するアクセス禁止手段とを備えたことを特徴とするものである。
【０００７】
なお、本発明によるフォルダ表示制御装置においては、前記アクセスが禁止されたフォルダに対するロック解除の指示を受け付けるロック解除指示手段と、
パスワードの入力を行うパスワード入力インターフェースを、該ロック解除の指示が受け付けられたフォルダのフォルダアイコンに重畳させて表示する第４の表示手段と、
前記パスワードの認証を行う認証手段と、
前記入力されたパスワードが認証された場合、前記マークに代えて、前記サムネイル画像を、前記ロック解除の指示が受け付けられたフォルダのフォルダアイコンに重畳させて表示する第５の表示手段と、
該ロック解除の指示が受け付けられたフォルダのアクセス禁止を解除する解除手段とをさらに備えるようにしてもよい。
【０００８】
また、本発明によるフォルダ表示制御装置においては、前記第２の表示手段を、マウスの操作により複数の数字を切り替えることによって前記パスワードを入力するパスワード入力インターフェースを表示する手段としてもよく、前記第４の表示手段を、マウスの操作により複数の数字を切り替えることによって前記パスワードを入力するパスワード入力インターフェースを表示する手段としてもよい。
【０００９】
本発明によるフォルダ表示制御方法は、画像が分類されたフォルダをアイコン化して表示するフォルダ表示制御方法において、
前記フォルダに格納されている画像のサムネイル画像を、前記フォルダをアイコン化したフォルダアイコンに重畳させて表示し、
前記フォルダのロックの指示を受け付け、
パスワードの入力を行うパスワード入力インターフェースを、前記ロックの指示が受け付けられたフォルダのフォルダアイコンに重畳させて表示し、
前記パスワードが入力されると、前記サムネイル画像に代えて、ロックされていることを表すマークを、前記ロックの指示が受け付けられたフォルダのフォルダアイコンに重畳させて表示し、
前記ロックの指示が受け付けられたフォルダへのアクセスを禁止することを特徴とするものである。
【００１０】
なお、本発明によるフォルダ表示制御方法においては、前記アクセスが禁止されたフォルダに対するロック解除の指示を受け付け、
パスワードの入力を行うパスワード入力インターフェースを、該ロック解除の指示が受け付けられたフォルダのフォルダアイコンに重畳させて表示し、
前記パスワードの認証を行い、
前記入力されたパスワードが認証された場合、前記マークに代えて、前記サムネイル画像を、前記ロック解除の指示が受け付けられたフォルダのフォルダアイコンに重畳させて表示し、
該ロック解除の指示が受け付けられたフォルダのアクセス禁止を解除するようにしてもよい。
【００１１】
なお、本発明によるフォルダ表示制御方法をコンピュータに実行させるためのプログラムとして提供してもよい。
【発明の効果】
【００１２】
本発明によれば、ロックされていないフォルダのフォルダアイコンには、フォルダに格納されている画像のサムネイル画像が重畳されて表示される。そして、フォルダをロックする場合には、ロックの指示がなされたフォルダのフォルダアイコンに重畳されて、パスワード入力インターフェースが表示される。そしてパスワードが入力されると、サムネイル画像に代えて、ロックされていることを表すマークが、ロックの指示がなされたフォルダのフォルダアイコンに重畳されて表示され、さらにロックの指示がなされたフォルダへのアクセスが禁止される。
【００１３】
一方、アクセスが禁止されたフォルダに対してロック解除の指示がなされると、ロック解除の指示がなされたフォルダアイコンに重畳されて、パスワード入力インターフェースが表示される。そして入力されたパスワードが認証されると、マークに代えてサムネイル画像がロック解除の指示がなされたフォルダのフォルダアイコンに重畳されて表示され、ロック解除の指示がなされたフォルダのアクセス禁止が解除される。
【００１４】
このため、ロックされたフォルダが多数あっても、まずロックを解除してからフォルダを開いてその中身を確認することができる。したがって、フォルダを開いたり閉じたりする度にパスワードを入力する必要がなくなり、その結果、ロックされたフォルダについて、簡易に中身を確認できることとなる。
【００１５】
また、パスワード入力インターフェースがフォルダアイコンに重畳されて表示されるため、ダイアログが別途開くことにより、画面が煩雑になることを防止することができる。
【００１６】
また、マウスの操作により複数の数字を切り替えることによってパスワードを入力するようにすれば、マウスをクリックする操作のみで、フォルダの指定やロックまたはロック解除を行うことができるため、操作性を向上させることができる。
【発明を実施するための最良の形態】
【００１７】
以下、図面を参照して本発明の実施形態について説明する。図１は本発明の実施形態によるフォルダ表示制御装置の構成を示す概略ブロック図である。図１に示すように、本実施形態によるフォルダ表示制御装置１は、画像データの記録制御および表示制御等の各種制御を行うとともに、装置１を構成する各部の制御を行うＣＰＵ１２と、ＣＰＵ１２を動作させるプログラム、画像を閲覧するためのビューアソフトおよび各種定数が記録されているＲＯＭおよびＣＰＵ１２が処理を実行する際の作業領域となるＲＡＭにより構成されるシステムメモリ１４と、種々の指示を装置１に対して行うためのキーボードおよびマウス等からなる入力部１６と、各種表示を行う液晶モニタ等からなる表示部１８とを備える。
【００１８】
また、フォルダ表示制御装置１は、画像データを記録したメモリカード２から画像データを読み出したり、メモリカード２に画像データを記録したりするためのカードスロット２０と、画像データをＪＰＥＧに代表される手法で圧縮したり、圧縮した画像データを解凍する圧縮解凍部２２と、画像データやＣＰＵ１２が実行する各種プログラム等を記録するハードディスク２４と、システムメモリ１４、カードスロット２０およびハードディスク２４を制御するメモリ制御部２６とを備える。なお、メモリカード２から読み出された画像データは複数のフォルダに分類されてハードディスク２４に保存されているものとする。
【００１９】
また、フォルダ表示制御装置１は、後述するようにフォルダへのアクセスの禁止およびアクセス禁止の解除を行うためのアクセス設定部３０と、後述するように入力されたパスワードの認証を行う認証部３２と、フォルダの表示の制御を行う表示制御部３４とを備える。
【００２０】
図２は本実施形態におけるロック前のフォルダの一覧画面を示す図である。図２に示すように一覧画面５０には、ハードディスク２４に保存されているフォルダのアイコンを表示するアイコン表示エリア５０Ａと、ロックおよびロック解除を行うためのボタンを表示するボタン表示エリア５０Ｂとが表示されている。
【００２１】
アイコン表示エリア５０Ａにはフォルダアイコン５２Ａ，５２Ｂが表示されている。なお、フォルダアイコン５２Ａ，５２Ｂには対応するフォルダに格納されている画像のサムネイル画像５４がフォルダアイコン５２Ａ，５２Ｂに重畳されて表示されている。また、ボタン表示エリア５０Ｂには、フォルダのロックを行う際にクリックするロックボタン５６Ａおよび解除を行う際にクリックするロック解除ボタン５６Ｂが表示されている。
【００２２】
この状態において、フォルダアイコン５２Ａ，５２Ｂをクリックすれば、フォルダが開かれてフォルダに格納されている画像にアクセスすることができる。
【００２３】
以下、本実施形態におけるアクセス設定部３０、認証部３２および表示制御部３４が行う処理について説明する。図３は本実施形態においてフォルダをロックする際に行われる処理を示すフローチャートである。上記一覧画面５０においてユーザが所望とするフォルダアイコンを選択し、さらにロックボタン５６ＡをクリックすることによりＣＰＵ１２が処理を開始し、表示制御部３４が、選択されたフォルダアイコンからサムネイル画像を消去し（ステップＳＴ１）、パスワード入力インターフェースを選択されたフォルダアイコンに重畳して表示し（ステップＳＴ２）、パスワードの入力を受け付ける（ステップＳＴ３）。
【００２４】
図４はフォルダのロック時においてパスワード入力インターフェースが表示されたフォルダアイコンを含む一覧画面を示す図である。図４に示すように選択されたフォルダアイコン５２Ｂには、４桁の数字を入力するためのパスワード入力インターフェース６０が表示されている。ユーザはパスワード入力インターフェース６０の各桁の数字の上下に付与されている上矢印６０Ａおよび下矢印，６０Ｂをクリックすることにより、数値を増減して所望とするパスワードを設定することができる。なお、キャンセルボタン６２をクリックすることによりパスワード入力を中止することができる。
【００２５】
続いて、表示制御部３４がキャンセルボタン６２がクリックされたか否かを判定し（ステップＳＴ４）、ステップＳＴ４が肯定されると、パスワード入力インターフェース６０をフォルダアイコンから消去するとともに、サムネイル画像をフォルダアイコンに重畳させて表示し（ステップＳＴ５）、処理を終了する。
【００２６】
ステップＳＴ４が否定されると、ＯＫボタン６４がクリックされたか否かを判定し（ステップＳＴ６）、ステップＳＴ６が否定されると、ステップＳＴ３に戻り、ステップＳＴ３以降の処理を繰り返す。ステップＳＴ６が肯定されると、図５に示すように、パスワード入力インターフェース６０をフォルダアイコンから消去するとともに、ロックされたことを表す鍵マーク６６をフォルダアイコンに重畳して表示する（ステップＳＴ７）。
【００２７】
続いて、アクセス設定部３０が、ロックが指示されたフォルダのアクセスを禁止し（ステップＳＴ８）、さらに入力されたパスワードをハードディスク２４に保存されているロック済みフォルダテーブルに登録し（ステップＳＴ９）、処理を終了する。
【００２８】
図６はロック済みフォルダテーブルを示す図である。図６に示すようにロック済みフォルダテーブルＴＢＬ１には、フォルダ名およびパスワードが対応づけられて登録されている。
【００２９】
この状態において、鍵マーク６６が表示されたフォルダアイコンをクリックしても、そのフォルダは開かれないため、フォルダに格納された画像にアクセスすることはできない。
【００３０】
図７は本実施形態においてフォルダのロックを解除する際に行われる処理を示すフローチャートである。ユーザが鍵マーク６６が表示されたフォルダアイコンを選択し、さらにロック解除ボタン５６ＢをクリックすることによりＣＰＵ１２が処理を開始し、表示制御部３４が、選択されたフォルダアイコンから鍵マーク６６を消去し（ステップＳＴ１１）、さらに表示制御部３４がパスワードをランダムに発生させ（ステップＳＴ１２）、ランダムなパスワードが表示された状態のパスワード入力インターフェースを、選択されたフォルダアイコンに重畳して表示し（ステップＳＴ１３）、パスワードの入力を受け付ける（ステップＳＴ１４）。
【００３１】
図８はロック解除時においてパスワード入力インターフェースが表示されたフォルダアイコンを含む一覧画面を示す図である。ここで、ロック解除時の一覧画面は、鍵マーク６６がフォルダアイコンに表示され、パスワード入力インターフェース６０に表示されている数字がランダムである点を除いて図４に示すものと同一であるため、ここでは詳細な説明は省略する。なお、キャンセルボタン６２をクリックすることによりパスワード入力を中止することができる。
【００３２】
続いて、表示制御部３４がキャンセルボタン６２がクリックされたか否かを判定し（ステップＳＴ１５）、ステップＳＴ１５が肯定されると、パスワード入力インターフェース６０をフォルダアイコンから消去するとともに、鍵マーク６６をフォルダアイコンに重畳させて表示し（ステップＳＴ１６）、処理を終了する。
【００３３】
ステップＳＴ１５が否定されると、ＯＫボタン６４がクリックされたか否かを判定し（ステップＳＴ１７）、ステップＳＴ１７が否定されると、ステップＳＴ１４に戻り、ステップＳＴ１４以降の処理を繰り返す。ステップＳＴ１７が肯定されると、認証部３２がロック済みフォルダテーブルＴＢＬ１を参照して、入力されたパスワードの認証を行う（ステップＳＴ１８）。
【００３４】
入力されたパスワードが認証されない（ＮＧとする）とステップＳＴ１６に進む。入力されたパスワードが認証されると（ＯＫとする）、パスワード入力インターフェース６０および鍵マーク６６をフォルダアイコンから消去するとともに、サムネイル画像をフォルダアイコンに重畳して表示する（ステップＳＴ１９）。
【００３５】
続いて、アクセス設定部３０が、ロック解除の指示がなされたフォルダのアクセス禁止を解除し（ステップＳＴ２０）、処理を終了する。
【００３６】
このように本実施形態によれば、ロックされたフォルダが多数あっても、まずロックを解除してからフォルダを開いてその中身を確認することができため、フォルダを開いたり閉じたりする度にパスワードを入力する必要がなくなり、その結果、ロックされたフォルダについて、簡易に中身を確認できることとなる。
【００３７】
また、パスワード入力インターフェース６０がフォルダアイコンに重畳されて表示されるため、ダイアログが別途開くことにより、一覧画面５０が煩雑になることを防止することができる。
【００３８】
また、マウスの操作により複数の数字を切り替えることによってパスワードを入力するようにすれば、マウスをクリックする操作のみで、フォルダの指定やロックまたはロックの解除を行うことができるため、操作性を向上させることができる。
【００３９】
なお、上記実施形態においては、パスワード入力インターフェース６０をマウスのクリックにより数字を切り替えるものとしているが、図９に示すように、キーボードを用いてパスワードを入力可能なインターフェース７０を、フォルダアイコン５２Ｂに重畳させて表示してもよい。
【００４０】
以上、本発明の実施形態に係る装置について説明したが、コンピュータを、上記のアクセス設定部３０、認証部３２および表示制御部３４に対応する手段として機能させ、図３および図７に示すような処理を行わせるプログラムも、本発明の実施形態の１つである。また、そのようなプログラムを記録したコンピュータ読取り可能な記録媒体も、本発明の実施形態の１つである。また、このようなプログラムを、画像を閲覧するためのビューアソフトに組み込むようにしてもよい。
【図面の簡単な説明】
【００４１】
【図１】本発明の実施形態によるフォルダ表示制御装置の構成を示す概略ブロック図
【図２】本実施形態におけるロック前のフォルダの一覧画面を示す図
【図３】本実施形態においてフォルダをロックする際に行われる処理を示すフローチャート
【図４】フォルダのロック時においてパスワード入力インターフェースが表示されたフォルダアイコンを含む一覧画面示す図
【図５】鍵マークが表示されたフォルダアイコンを含む一覧画面を示す図
【図６】ロック済みフォルダテーブルを示す図
【図７】本実施形態においてフォルダのロックを解除する際に行われる処理を示すフローチャート
【図８】フォルダのロック解除時においてパスワード入力インターフェースが表示されたフォルダアイコンを含む一覧画面を示す図
【図９】他のパスワード入力インターフェースが表示されたフォルダアイコンを含む一覧画面を示す図
【図１０】パスワードを入力するためのダイアログを示す図
【符号の説明】
【００４２】
１    フォルダ表示制御装置
２    メモリカード
１２    ＣＰＵ
１４    システムメモリ
１６    入力部
１８    表示部
２０    カードスロット
２２    圧縮解凍部
２４    ハードディスク
２６    メモリ制御部
２８    顔検出部
３０    アクセス設定部
３２    認証部
３４    表示制御部
５０    一覧画面
５２，５２Ｂ    フォルダアイコン
５６Ａ    ロックボタン
５６Ｂ    ロック解除ボタン  
６０，７０    パスワード入力インターフェース
６６    鍵マーク
【図１】
2007219584.tif 000003
【図２】
2007219584.tif 000004
【図３】
2007219584.tif 000005
【図４】
2007219584.tif 000006
【図５】
2007219584.tif 000007
【図６】
2007219584.tif 000008
【図７】
2007219584.tif 000009
【図８】
2007219584.tif 000010
【図９】
2007219584.tif 000011
【図１０】
2007219584.tif 000012